(57)【要約】【課題】連続する複数月の７曜表を表示することができ、かつコンパクトに折り畳むことのできるカレンダーを得ることを課題とする【解決手段】帯状シートを環状とし、長手方向に偶数個の同じ大きさの区画２に分割し、各区画の境界に折り目３を形成し、各区画にそれぞれ１ヶ月分の７曜表４を表示してカレンダーを構成する。適宜の折り目で折り畳むことにより所望の連続する複数の付きを表示することができる。【選択図】  図２
2004284227.tif 000002
【特許請求の範囲】
【請求項１】
帯状シートを環状とし、長手方向に偶数個の同じ大きさの区画に分割し、各区画の境界に折り目を形成し、各区画にそれぞれ１ヶ月分の７曜表を表示した、カレンダー
【請求項２】
帯状シートの幅方向端部において、各区画の境界をはさんで係止片とこの係止片が係止するスリットとを形成した、請求項１記載のカレンダー
【請求項３】
７曜表にはメモ記載欄を設けた、請求項１又は２に記載のカレンダー
【請求項４】
帯状シートの各区画の境界に孔を形成し、折り畳まれた帯状シートの内側に装着したハンガー部材の吊り下げ部を前記孔から突出できるようにした、請求項１ないし３の何れかに記載のカレンダーと、前記折り畳まれた帯状シートを内側から支持する横桟と、この横桟から突出した吊り下げ部を有するハンガー部材とを組合せてなる吊り下げカレンダー
【発明の詳細な説明】
【０００１】
【発明の属する技術分野】
この発明は、カレンダーに関するものである。
【０００２】
【従来の技術】
従来のカレンダーは、１枚の用紙に１ヶ月分又は２ヶ月分、あるいは半年分又は１年分の７曜表を表示した構成となっている。
【０００３】
【発明が解決しようとする課題】
１枚の用紙に１ヶ月分又は２ヶ月分の７曜表を表示したカレンダーは、複数枚の用紙を綴じて１冊のカレンダーが構成されており、月が進むに従い用紙を順位破って当該月を表に表して使用する。
そのために、１ヶ月分を表示したカレンダーにおいては当該月の７曜表しか見ることができず、２ヶ月分を表示したカレンダーにおいても高々２ヶ月分を見ることができるにすぎない。
また、主となる当該月の７曜表に加えて前後の月の７曜表を表示したカレンダーも存在するが、それとても前後１ヶ月の７曜表を見ることができるにとどまる。
【０００４】
また、１枚の用紙に半年分又は１年分の７曜表を表示したカレンダーは、数ヶ月に亘る７曜表を見ることができるが、大型の用紙を用いなければならず張りだすためには大きな壁面を必要とした。また、用紙サイズの制約から各月の７曜表は小さなスペースに納めなければならず、メモ欄を設けることは事実上極めて困難であった。
【０００５】
【課題を解決するための手段】
この発明のカレンダーは、帯状シートを環状とし、長手方向に偶数個の同じ大きさの区画に分割し、各区画の境界に折り目を形成し、各区画にそれぞれ１ヶ月分の７曜表を表示して構成する。前記シートの素材は、紙の他合成樹脂シートが考えられる。
請求項２は、帯状シートの幅方向端部において、各区画の境界をはさんで係止片と、この係止片が係止するスリットとを形成したもの、請求項３は、７曜表にメモ記載欄を設けたものである。
請求項４は、請求項１ないし３の何れかに記載カレンダーにおいて、帯状シートの各区画の境界に孔を形成し、折り畳まれた帯状シートの内側に装着したハンガー部材の吊り下げ部を前記孔から突出できるようにしたものと、前記ハンガー部材とを組み合わせて吊り下げカレンダーとしたものである。
前記ハンガー部材は、前記折り畳まれた帯状シートを内側から支持する横桟と、横桟に突出したハンガー部材とで構成する。
【０００６】
【作用】
この発明のカレンダーは、環状シートが偶数個の区画に分割され、区画の境界に折り目が形成してある。そこで、折り目に沿って任意に折り畳み、所望の月の７曜表を表示させて使用する。したがって、カレンダーに１年分の７曜表を表示した場合、カレンダーを二つ折りにして使用するならば、６ヶ月分の７曜表を表示することができる。
そして、１区画の大きさにまで折り畳むことが可能であり、コンパクトな状態として保管することができる。メモ欄を設けた場合、保管することにより簡便な日記として利用することができる。
【０００７】
請求項２の発明は、各区画の境界をはさんで係止片とこの係止片が係止するスリットとを形成したので、折り畳み状態を安定させる（用紙のふくらみを防止する）ことができ、請求項４の発明は、折り畳まれた帯状シートの内側に装着したハンガー部材によってカレンダーを吊り下げることができる。
【０００８】
【発明の実施の形態】
帯状の用紙１を、長手方向に１２個の同じ大きさの区画２に分割し、各区画２の境界に折り目３を形成し、前記１２の区画に順次１月ないし１２月の７曜表４を１ヶ月分ずつ表示する。前記７曜表４は、各日ごとにメモ欄４ａが設けてある。
前記各区画の境界両端部には、折り目３を挟んで係止片５とスリット６とを形成する。前記係止片５は前記用紙１にＶ字状の切り目を設けて形成してあり、前記スリット６は係止片５と契合するように直線状に形成してある。
前記各区画の境界中央部の折り目３上には、折り畳まれた帯状の用紙１の内側に装着したハンガー部材７の吊り下げ部７ａを突出させるための孔８が設けてある。
上記のように構成された帯状の用紙１の両端を接合して環状とし、この発明のカレンダー９を構成する。
【０００９】
前記ハンガー部材７は、前記折り畳まれた帯状の用紙１に挟み込まれて用紙１を内側から支持する横桟７ｂの中央に、吊り下げ部７ａと突出させ、この吊り下げ部７ａに係止孔７ｃを形成して構成してある。
前記カレンダー９とこのハンガー部材７とを組み合わせたものが請求項４の発明である。
なお、前記カレンダー９はハンガー部材７と組み合わせなくとも、画鋲やテープで壁に貼ることができる。
【００１０】
以下このカレンダーの使用方法を説明する。
（流通時）
このカレンダー９は、例えば各区画の大きさをＡ５サイズに構成すると、全長はＡ４の用紙を縦に３枚つなげた大きさであるが（帯状であるから最大寸法は２つ折りの状態である）、これを折り目３に沿って折り畳むことにより、全体をＡ５サイズとすることができる。
したがって、Ａ５サイズに折り畳んだ状態で流通させることができる。すなわち、卓上カレンダーと同じように、封筒に入れて配布したり郵送することも可能である。
【００１１】
（使用時）
このカレンダー９は、折り方を変えることにより１ヶ月分ないし６ヶ月分の７曜表を一覧可能に表示することができる。
カレンダー９を全ての折り目で折り畳むと、表面には１つの区画のみが表れ、１ヶ月分の７曜表のみが表示される。カレンダー９の折り目を一つおきに利用して折り畳むと、表面には２つの区画が表れ、連続した２ヶ月分の７曜表が表れる。カレンダー９の折り目を二つおきに利用して折り畳むと、表面には３つの区画が表れ、連続した３ヶ月分の７曜表が表れる。同様に、折り目を三つおきに利用して折り畳むと連続した４ヶ月分の７曜表が、折り目を四つおきに利用して折り畳むと連続した５ヶ月分の７曜表が、折り目を五つおきに利用して折り畳む（用紙を二つ折り）と連続した６ヶ月分の７曜表が、それぞれ表れる。
また、各月の７曜表は連続しているので使用中に個別に切り離すことはない。そこで各区画ごとに広告を表示しておくと、広告部分のみを切り取って使用することはできないので、広告部分を切除されることにより広告効果が損なわれることもない。
【００１２】
上記において、折り目を三つおきに利用して折り畳むときは、表面には４区画分の用紙が表れ、その裏側にも４区画分の用紙が位置するが、その裏側に位置する用紙は２区画分に折り畳まれた用紙となる。同様に折り目を四つおきに利用して折り畳むとき、表面およびその裏側には五区画分の用紙が位置するが、その裏側には１区画分に折り畳まれた用紙が位置する。
【００１３】
上記のように、このカレンダーは折り畳んで使用されるものであるが、折り畳んだときに表側に位置する用紙と裏側に位置する用紙とは密着していることが好ましい。そこで、表側の用紙と裏側の用紙とを前記係止片５を対応する位置にあるとスリット６に係止させることにより互いに連結させて、表裏の用紙が密接した状態を保持させることができる。
【００１４】
このカレンダー９を前記ハンガー部材７を用いて吊り下げるときは、折り畳まれたカレンダー９の上部折り返し部１０の内側にハンガー部材７の横桟７ｂをあてがい、吊り下げ部７ａをカレンダー９の折り目に設けられた孔８から突出させ、係止孔７ｃを壁等に取り付けられたフックに係止する。
【００１５】
（使用後）
このカレンダー９の７曜表４にはメモ欄４ａが設けてあるので、使用者はカレンダーにスケジュールその他のメモをすることができる。そして１年使用するとそのメモは１年間の記録として保存価値が生じる。
そのときは、前記流通時と同様に小さく折り畳むことができ、バインダーに綴じたり、ファイルに挟んだりして保管することができる。
【００１６】
上記実施形態においては、用紙を１２の区画に分割して１年分の７曜表を表示するようにしたが、区画の数、表示する月数は任意である。但し区画の数は折り畳み可能とするために偶数である必要がある。
【００１７】
【発明の効果】
この発明によれば、用紙を環状として区画間に折り目を形成したので、折り目に沿って用紙を折り畳むことにより所望の月数の７曜表を表面に表すことができ、連続した複数月の７曜表を一覧することができる。
【図面の簡単な説明】
【図１】この発明実施形態の帯状用紙の一部を省略した正面図
【図２】この発明実施形態の一部を省略した斜視図
【図３】この発明実施形態の一部を拡大した正面図
【図４】この発明実施形態のハンガー部材の正面図
【図５】この発明実施形態のハンガー部材の使用状態を示す断面図
【図６】この発明実施形態の使用状態を示す斜視図
【符号の説明】
１      用紙
２      区画
３      折り目
４      ７曜表
５      係止片
６      スリット
７      ハンガー部材
８      孔
９      カレンダー
【図１】
2004284227.tif 000003
【図２】
2004284227.tif 000004
【図３】
2004284227.tif 000005
【図４】
2004284227.tif 000006
【図５】
2004284227.tif 000007
【図６】
2004284227.tif 000008